(57)【要約】【課題】同一放送ネットワーク内の全チャンネルが選択されたことを検知して通知する放送受信装置、放送受信装置の制御方法を提供する。【解決手段】放送受信装置が、現在選択中の放送チャンネルの放送ネットワーク内における全ての放送チャンネルが順次選択指示され、既に選択指示された放送チャンネルが再び選択指示されたかを判断する。そして、放送受信装置が、既に選択指示された放送チャンネルが再び選択指示されたと判断した場合に、上記放送ネットワーク内における全ての放送チャンネルが選択されたことを通知する。【選択図】図１
2011216925.tif 000002
【特許請求の範囲】
【請求項１】
放送信号を受信する受信手段と、
同一の放送ネットワーク内の放送チャンネルを順次選択指示する順次選局操作によって、現在選択中の放送チャンネルの次に選択指示された放送チャンネルの放送信号を前記受信手段に受信させる制御を行う制御手段と、
前記現在選択中の放送チャンネルの放送ネットワーク内における全ての放送チャンネルが前記順次選択指示され、既に選択指示された放送チャンネルが再び選択指示されたかを判断する判断手段と、
前記判断手段によって、前記既に選択指示された放送チャンネルが再び選択指示されたと判断された場合に、前記放送ネットワーク内における全ての放送チャンネルが選択されたことを通知する通知手段とを備えることを特徴とする放送受信装置。
【請求項２】
前記通知手段は、前記判断手段によって、前記既に選択指示された放送チャンネルが再び選択指示されたと判断された場合に、現在選択中の放送チャンネルの放送ネットワークから他の放送ネットワークへの切り換えを誘導する切り換え誘導画面を表示する
ことを特徴とする請求項１に記載の放送受信装置。
【請求項３】
前記通知手段は、前記切り換え誘導画面上に、現在選択中の放送チャンネルの放送ネットワークを示す情報と、該放送ネットワークからの切り換え候補となる他の放送ネットワークを示す情報とを表示する
ことを特徴とする請求項２に記載の放送受信装置。
【請求項４】
前記通知手段は、選択可能な放送ネットワークの数が前記切り換え誘導画面上に表示可能な放送ネットワークの数より多い場合に、前記判断手段によって前記既に選択指示された放送チャンネルが再び選択指示されたと判断される度に、前記切り換え誘導画面上に表示する前記切り換え候補となる他の放送ネットワークを示す情報を変更する
ことを特徴とする請求項３に記載の放送受信装置。
【請求項５】
前記通知手段は、放送ネットワークの選択操作を示す放送ネットワーク選択操作情報に基づいて、前記切り換え候補となる放送ネットワークから一つの放送ネットワークを選択し、
前記制御手段は、前記選択された放送ネットワーク内の放送チャンネルの放送信号を前記受信手段に受信させる
ことを特徴とする請求項３又は請求項４に記載の放送受信装置。
【請求項６】
放送信号を受信する受信手段と、同一の放送ネットワーク内の放送チャンネルを順次選択指示する順次選局操作によって、現在選択中の放送チャンネルの次に選択指示された放送チャンネルの放送信号を前記受信手段に受信させる制御を行う制御手段とを備える放送受信装置の制御方法であって、
前記現在選択中の放送チャンネルの放送ネットワーク内における全ての放送チャンネルが前記順次選択指示され、既に選択指示された放送チャンネルが再び選択指示されたかを判断する判断工程と、
前記判断工程によって、前記既に選択指示された放送チャンネルが再び選択指示されたと判断された場合に、前記放送ネットワーク内における全ての放送チャンネルが選択されたことを通知する通知工程とを有することを特徴とする放送受信装置の制御方法。
【発明の詳細な説明】
【技術分野】
【０００１】
本発明は、放送受信装置及び放送受信装置の制御方法に関する。
【背景技術】
【０００２】
高度ＢＳに代表されるように、今後、放送ネットワークのチャンネル数は増加する傾向にある。従って、放送受信装置用のリモコンのアップダウンキーによる選局では、番組を検索しきれない場合があると考えられる。放送ネットワークのチャンネル数が増加するに従って、放送受信装置がチャンネル切換を迅速に実行できるようにする必要がある。
【０００３】
なお、下記の特許文献１は、チャンネルアップ／ダウンキーが連続押下されている間、チャンネル番号を順次切換えて、チャンネルアップ／ダウンキーが押下される直前に選局されていた放送チャンネルの番組画面上に重畳表示する選局装置を開示している。また、下記の特許文献２は、特定チャンネルが選局されている時間を特定チャンネルでないチャンネルの選局時間より永くなるように制御する選局装置を開示している。また、特許文献３は、チャンネルの切替操作が行われたときに直前に選択されていた直前選択チャンネルの映像を録画し、所定操作時に、上記直前選択チャンネルにおける現在の映像と録画映像とを同時に表示する表示装置を開示している。
【先行技術文献】
【特許文献】
【０００４】
【特許文献１】特開２００４−１３５０５０号公報
【特許文献２】特開２００５−１９２００９号公報
【特許文献３】特開２００６−１０１０８６号公報
【発明の概要】
【発明が解決しようとする課題】
【０００５】
しかし、放送受信装置のユーザが、選択可能な多くのチャンネルをリモコンのアップダウンキーで高速にチャンネル切換を行うと、ユーザにとって、チャンネル選択が２周目に入った（同一ネットワーク内の全チャンネルを選択した）のかがわかりづらい。従って、効率的なチャンネル検索ができないという問題がある。
【０００６】
本発明は、上記の問題を解決するためになされたものである。本発明は、同一放送ネットワーク内の全チャンネルが選択されたことを検知して通知する放送受信装置、放送受信装置の制御方法を提供することを目的とする。
【課題を解決するための手段】
【０００７】
本発明の一実施形態の放送受信装置は、放送信号を受信する受信手段と、同一の放送ネットワーク内の放送チャンネルを順次選択指示する順次選局操作によって、現在選択中の放送チャンネルの次に選択指示された放送チャンネルの放送信号を前記受信手段に受信させる制御を行う制御手段と、前記現在選択中の放送チャンネルの放送ネットワーク内における全ての放送チャンネルが前記順次選択指示され、既に選択指示された放送チャンネルが再び選択指示されたかを判断する判断手段と、前記判断手段によって、前記既に選択指示された放送チャンネルが再び選択指示されたと判断された場合に、前記放送ネットワーク内における全ての放送チャンネルが選択されたことを通知する通知手段とを備える。
【発明の効果】
【０００８】
本発明の放送受信装置によれば、同一放送ネットワーク内の全ての放送チャンネルが選択されたことを検知して通知することができる。従って、通知を受けたユーザが、現在選択中の放送ネットワーク内に自分が選択したい放送チャンネルがなかったことを認識し、現在選択中の放送ネットワークとは異なる他の放送ネットワーク内の放送チャンネルを選択することができる。その結果、効率的なチャンネル検索が可能となる。
【図面の簡単な説明】
【０００９】
【図１】本発明の第１の実施形態の放送受信装置の構成例を示す図である。
【図２】リモコンの外観例を示す図である。
【図３】第１の実施形態における一周判定処理フローを示す図である。
【図４】第１の実施形態における遷移候補決定処理フローの例を示す図である。
【図５】放送ネットワーク切換誘導アプリ実行部の内部動作を説明するフローチャートである。
【図６】本発明の第２の実施形態の放送受信装置の構成を示す図である。
【図７】第２の実施形態における一周判定処理フローを示す図である。
【図８】第２の実施形態における遷移候補決定処理フローの例を示す図である。
【図９】遷移候補テーブルと、放送ネットワーク切換誘導画面の例を示す図である。
【発明を実施するための形態】
【００１０】
図１は、本発明の第１の実施形態の放送受信装置の構成例を示す図である。図１に示す放送受信装置は、リモコン信号受信部１０１、選局制御部１０２、チューナ部１０３、デマックス部１０４、映像復号部１０５、音声復号部１０６、ＳＩデータ情報管理部１０７、番組表作成制御部１０８を備える。また、この放送受信装置は、描画処理部１０９、映像合成表示部１１０、音声出力部１１１、一周判定処理部１１２、遷移候補決定処理部１１３、放送ネットワーク切換誘導アプリ実行部１１４を備える。なお、本発明の第１の実施形態の放送受信装置の制御方法は、図１に示す放送受信装置が備える各処理部の機能によって実現される。リモコン信号受信部１０１は、操作入力装置であるリモコン１００（図２を参照）から入力されるリモコン操作キー情報を受信する。リモコン操作キー情報は、ユーザによるリモコン１００が備える操作キーの押下操作に応じた操作情報である。
【００１１】
図２は、リモコンの外観例を示す図である。図２に示すリモコン１００は、図２中の点線の円で囲った部分に示す操作キーを備える。操作キーには、チャンネルアップ／ダウンキーと、左右キーと、中央キーとが含まれる。チャンネルアップ／ダウンキーは、図２中に示すチャンネルアップキー３０１と、チャンネルダウンキー３０２とを有する。左右キーは、図２中に示す右キー３０３と左キー３０４とを有する。リモコン１００は、操作キーの押下操作に応じて、図１に示す放送受信装置に対してリモコン操作キー情報を入力する。リモコン１００は、チャンネルアップ／ダウンキーの押下操作に応じて、放送チャンネルの選択操作を示すチャンネル選択操作情報をリモコン操作キー情報として放送受信装置に入力する。チャンネルアップ／ダウンキーの押下操作は、例えば、同一の放送ネットワーク内の放送チャンネルを順次選択指示する順次選局操作を示す。すなわち、チャンネルアップ／ダウンキーは、ユーザが放送チャンネルを選択するのに用いられ、チャンネルアップ／ダウンキーの押下操作に応じて入力されるチャンネル選択操作情報は、上記順次選局操作により選択された放送チャンネルの情報である。また、リモコン１００は、例えば、左右キーの押下操作に応じて、放送ネットワークの選択操作を示す放送ネットワーク選択操作情報をリモコン操作キー情報として放送受信装置に入力する。すなわち、左右キーは、ユーザが放送ネットワークを選択するのに用いられる。なお、中央キー３０５は、例えば、ユーザによって選択された放送ネットワーク、放送チャンネルを確定する操作を行うために用いられる。
【００１２】
図１に戻って、リモコン信号受信部１０１は、受信したリモコン操作キー情報を選局制御部１０２と放送ネットワーク切換誘導アプリ実行部１１４とに渡す。選局制御部１０２は、デマックス部１０４から３桁番号、３桁番号対応周波数を、ＳＩデータ情報管理部１０７からイベント共有記述子を受信する。３桁番号は、放送受信装置が受信している放送チャンネルに対応する３桁番号である。イベント共有記述子は、現在選択中の番組の名称、番組開始時間等を含む番組情報を示す。そして、選局制御部１０２は、受信したこれらの情報に基づいて、３桁番号テーブルを作成して保持する。３桁番号テーブルには、放送ネットワークに含まれる各々の放送チャンネルに対応する３桁番号と３桁番号対応周波数と上記３桁番号に対応するチャンネル選択操作情報との対応情報を含む情報が設定される。すなわち、３桁番号テーブルには、チャンネルアップ／ダウンキーの操作に対応する３桁番号が設定される。
【００１３】
選局制御部１０２は、リモコン操作キー情報内のチャンネル選択操作情報と３桁番号テーブルとに基づき、現在選択中の放送チャンネルに対応する３桁番号（現在３桁番号）と選択指示された放送チャンネルに対応する３桁番号（選択指示３桁番号）を決定する。選局制御部１０２は、現在３桁番号と選択指示３桁番号とが異なる場合に、放送チャンネルの切換操作があったと判断する。そして、選局制御部１０２は、一周判定処理部１１２に対して、リモコン操作キー情報と現在３桁番号と選択指示３桁番号とを渡すとともに、一周判定処理の開始を指示する。一周判定処理は、現在選択中の放送チャンネルの放送ネットワーク内における全ての放送チャンネルが順次選択指示され、既に選択指示された放送チャンネルが再び選択指示されたかを判断する処理である。つまり、一周判定処理は、放送チャンネルの選択が一周したかを判断する処理である。また、選局制御部１０２は、遷移候補決定処理部１１３に対して、現在選択されている放送ネットワークのＩＤ（現在ネットワークＩＤ）を渡す。
【００１４】
また、選局制御部１０２は、同一の放送ネットワーク内の放送チャンネルを順次選択指示する順次選局操作によって、現在選択中の放送チャンネルの次に選択指示された放送チャンネルの放送信号をチューナ部１０３に受信させる制御を行う制御手段として機能する。具体的には、選局制御部１０２は、リモコン操作キー情報に含まれるチャンネル選択操作情報と選択指示放送ネットワークの情報とに基づいて、選択指示放送ネットワークの放送チャンネルを決定する。選択指示放送ネットワークは、現在選択中の放送チャンネルの次に選択する放送ネットワークである。選択指示放送ネットワークは、放送ネットワーク切換誘導アプリ実行部１１４から選局制御部１０２から受ける放送ネットワークの切換指示によって選局制御部１０２に対して通知される。選局制御部１０２が、放送ネットワーク切換誘導アプリ実行部１１４から放送ネットワークの切換指示を受けた場合、選局制御部１０２は放送ネットワークの切換指示に従って、現在選択中の放送ネットワークを選択指示放送ネットワークに切り換える。そして、選局制御部１０２は、チューナ部１０３に受信させる放送チャンネルの放送信号を決定する。選局制御部１０２は、選局指示放送チャンネルの放送信号をチューナ部１０３に受信させる制御を行う。例えば、選局制御部１０２は、３桁番号テーブルを参照して、チャンネル選択操作情報と選択指示放送ネットワークの情報とに対応する３桁番号対応周波数を決定する。そして、選局制御部１０２は、決定した３桁番号対応周波数をチューナ部１０３へ出力して、３桁番号対応周波数に対応する放送信号を受信させる。
【００１５】
チューナ部１０３は、受信手段として機能し、選局制御部１０２から指示された放送チャンネルの放送信号を受信する。具体的には、チューナ部１０３は、選局制御部１０２から出力された３桁番号対応周波数に対応する放送信号を受信する。デマックス部１０４は、チューナ部１０３から取得した放送信号を映像符号化データと音声符号化データとＳＩ（Service Information ）データとに分離する。デマックス部１０４は、映像符号化データを映像復号部１０５に入力する。また、デマックス部１０４は、音声符号化データを音声復号部１０６に入力する。また、デマックス部１０４は、放送信号から３桁番号、３桁番号対応周波数を抽出し、選局制御部１０２に渡す。
【００１６】
映像復号部１０５は、デマックス部１０４から入力された映像符号化データを映像信号に復号化し、映像合成表示部１１０に入力する。音声復号部１０６は、デマックス部１０４から入力された音声符号化データを音声信号に復号化し、音声出力部１１１に入力する。ＳＩデータ情報管理部１０７は、デマックス部１０４からＳＩデータを受け取り、イベント共有識別子を含むＥＩＴ（Event Information Table ）等の情報を解析して管理する。番組表作成制御部１０８は、リモコン信号受信部１０１がリモコン１００から番組表の表示を指示する番組表表示指示情報を受信した場合に、ＳＩデータ情報管理部１０７から表示対象の番組の名称、番組開始時間等の番組情報を受け取る。この番組表示指示情報は、ユーザのリモコン操作に従ってリモコン１００が入力する制御情報である。番組情報は、ＳＩデータ情報管理部１０７が管理するＥＩＴから取得される。そして、番組表作成制御部１０８は、受け取った番組情報に応じた番組表画面を形成し、描画処理部１０９に対して、この番組表画面の描画を指示する。
【００１７】
描画処理部１０９は、番組表作成制御部１０８からの指示に従って、番組表画面の描画処理を実行する。また、描画処理部１０９は、放送ネットワーク切換誘導アプリ実行部１１４からの指示に従って、放送ネットワーク切換誘導画面の描画処理を実行する。放送ネットワーク切換誘導画面は、現在選択中の放送チャンネルの放送ネットワークから他の放送ネットワークへの切り換えを誘導する切換誘導画面である。描画処理部１０９は、描画処理結果を映像合成表示部１１０に渡す。映像合成表示部１１０は、映像復号部１０５から入力された映像信号と描画処理部１０９から渡された描画処理結果とを合成し、画面表示する。例えば、映像合成表示部１１０は、放送ネットワーク切換誘導画面上に、現在選択中の放送チャンネルの放送ネットワークを示す情報と、該放送ネットワークからの切り換え候補となる他の放送ネットワークを示す情報とを表示する。音声出力部１１１は、音声復号部１０６から入力された音声信号を出力する。
【００１８】
一周判定処理部１１２は、選局制御部１０２からの一周判定処理の開始の指示を受けると、選局制御部１０２から渡されたリモコン操作キー情報と現在３桁番号と選択指示３桁番号とに基づいて一周判定処理を実行する。すなわち、一周判定処理部１１２は、受信された放送信号に基づいて取得される現在選択中の放送チャンネルの情報（現在３桁番号）と、選択指示された放送チャンネルの情報（選択指示３桁番号）とに基づいて以下の判断処理を実行する判断手段として機能する。一周判定処理部１１２は、現在選択中の放送チャンネルの放送ネットワーク内における全ての放送チャンネルが順次選択指示され、既に選択指示された放送チャンネルが再び選択指示されたか（放送チャンネルの選択が一周したか）を判断する。一周判定処理部１１２は、放送チャンネルの選択が一周したと判断した場合、遷移候補決定処理部１１３に対して、放送ネットワークの遷移候補の決定を指示する。この放送ネットワークの遷移候補とは、現在選択中の放送ネットワークからの切り換え候補となる他の放送ネットワークである。
【００１９】
遷移候補決定処理部１１３は、一周判定処理部１１２の指示に従って、放送ネットワークの遷移候補を決定する。具体的には、遷移候補決定処理部１１３は、選局制御部１０２から受け取った現在ネットワークＩＤに基づいて、現在選択されている放送ネットワークを認識する。そして、遷移候補決定処理部１１３は、遷移候補テーブルを作成する。遷移候補テーブルには、現在選択されている放送ネットワークと、該放送ネットワークからの切り換え候補となる他の放送ネットワークと、各々の放送ネットワークへのネットワーク切換機能が割り当てられたリモコンの操作キーとの対応情報が設定される。遷移候補決定処理部１１３は、作成した遷移候補テーブルを放送ネットワーク切換誘導アプリ実行部１１４に渡す。
【００２０】
放送ネットワーク切換誘導アプリ実行部１１４は、遷移候補決定処理部１１３から渡された遷移候補テーブルに基づいて、描画処理部１０９に対して、遷移候補テーブルに対応する放送ネットワーク切換誘導画面の描画を指示する。例えば、現在選択されている放送ネットワークが地上デジタル放送であり、他の放送ネットワークが、ＢＳ放送とＣＳ放送である場合を想定する。また、遷移候補テーブルにおいて、地上デジタル放送に対応づけて中央キー３０５が設定されているものとする。また、ＢＳ放送への切換機能が割り当てられた操作キーとして、右キー３０３が設定されているものとする。また、ＣＳ放送への切換機能が割り当てられた操作キーとして、左キー３０４が設定されているものとする。この場合、放送ネットワーク切換誘導アプリ実行部１１４は、描画処理部１０９に対して、中央キー３０５に地上デジタル放送、右キー３０３にＢＳ放送、左キー３０４にＣＳ放送がそれぞれ対応することを示す放送ネットワーク切換誘導画面の描画を指示する。
【００２１】
また、放送ネットワーク切換誘導アプリ実行部１１４は描画処理部１０９に指示して、映像合成表示部１１０が表示する放送ネットワーク切換誘導画面上に、カーソルが表示されるように制御する。このカーソルは、リモコン１００の左右キーの操作によって選択される放送ネットワークに対応する位置に表示される。放送ネットワーク切換誘導アプリ実行部１１４は、選択される放送ネットワークが切り換わる度に、カーソルが切り換わり先の放送ネットワークに対応する位置に表示するように制御する。すなわち、遷移候補決定処理部１１３、放送ネットワーク切換誘導アプリ実行部１１４、描画処理部１０９、映像合成表示部１１０は、通知手段として機能する。この通知手段は、放送チャンネルの選択が一周したと判断された場合に、放送チャンネルの選択が一周したこと、すなわち現在選択中の放送ネットワーク内における全ての放送チャンネルが選択されたことを通知する。
【００２２】
また、放送ネットワーク切換誘導アプリ実行部１１４は、リモコン信号受信部１０１からリモコン操作キー情報を受信する。そして、このリモコン操作キー情報に放送ネットワーク選択操作情報が含まれる場合に、この放送ネットワーク選択操作情報に基づいて、左右キーによる放送ネットワークの切換操作があったかを判断する。放送ネットワーク切換誘導アプリ実行部１１４は、左右キーによる放送ネットワークの切換操作があったと判断した場合に、選択指示放送ネットワークを決定する。すなわち、放送ネットワーク切換誘導アプリ実行部１１４は、放送ネットワーク選択操作情報に基づいて、切り換え候補となる放送ネットワークから一つの放送ネットワークを選択指示放送ネットワークとして決定する。そして、放送ネットワーク切換誘導アプリ実行部１１４は、選局制御部１０２に対して、現在選択中の放送ネットワークを選択指示放送ネットワークに切り換えるように指示する（放送ネットワークの切換指示を行う）。選局制御部１０２は、放送ネットワーク切換誘導アプリ実行部１１４からの指示に従って、現在選択中の放送ネットワークを選択指示放送ネットワークに切り換える。そして、選局制御部１０２は、選択指示放送ネットワーク内の放送チャンネルの放送信号をチューナ部１０３に受信させる。
【００２３】
また、放送ネットワーク切換誘導アプリ実行部１１４は、描画処理部１０９に対して、放送ネットワーク切換誘導画面のカーソル位置移動描画指示を行う。放送ネットワーク切換誘導画面のカーソル位置移動描画指示は、放送ネットワーク切換誘導画面上に表示されるカーソルの位置を、切換先の放送ネットワークに対応する位置に移動させる指示である。
【００２４】
本実施形態の放送受信装置の全体動作処理について説明する。選局制御部１０２が、リモコン操作キー情報を受け取り、一周判定処理部１１２へ一周判定処理の開始を指示する。一周判定処理部１１２は、一周判定処理を実行し、放送チャンネルの選択が一周したと判断した場合は、遷移候補決定処理部１１３へ遷移候補テーブルの作成を指示する。また、一周判定処理部１１２は、一周判定処理の終了を選局制御部１０２へ通知する。続いて、遷移候補決定処理部１１３が、一周判定処理部１１２からの指示に応じて遷移候補テーブルを作成し、放送ネットワーク切換誘導アプリ実行部１１４に渡す。そして、放送ネットワーク切換誘導アプリ実行部１１４は、描画処理部１０９に対して、遷移候補テーブルに対応する放送ネットワーク切換誘導画面の描画を指示する。また、放送ネットワーク切換誘導アプリ実行部１１４は、リモコン信号受信部１０１から受信したリモコン操作キー情報に含まれる放送ネットワーク選択操作情報に基づいて、左右キーによる放送ネットワークの切換操作があったかを判断する。左右キーによる放送ネットワークの切換操作があった場合、放送ネットワーク切換誘導アプリ実行部１１４は、選局制御部１０２に対して、放送ネットワークの切換指示を行う。また、放送ネットワーク切換誘導アプリ実行部１１４は、所定のタイムアウト時間が経過した場合は、描画処理部１０９に対して、放送ネットワーク切換誘導画面消去指示を出す。放送ネットワーク切換誘導画面消去指示は、表示されている放送ネットワーク切換誘導画面を消去する指示である。選局制御部１０２は、一周判定処理部１１２から一周判定処理の終了を通知された場合に、以下の処理を行う。選局制御部１０２は、放送ネットワーク切換誘導アプリ実行部１１４から受けた放送ネットワークの切換指示に応じて、チューナ部１０３へ選局指示すなわち選局指示放送ネットワークの放送チャンネルの放送信号の受信指示を出す。
【００２５】
図３は、第１の実施形態における一周判定処理フローを示す図である。まず、一周判定処理部１１２が、選局制御部１０２から一周判定処理の開始を指示されると、選局制御部１０２から、リモコン操作キー情報を取得する（ステップＳ１）。また、一周判定処理部１１２が、選局制御部１０２から、現在３桁番号と選択指示３桁番号とを取得する（ステップＳ２）。
【００２６】
一周判定処理部１１２が、リモコン操作キー情報に基づいて、リモコン１００のチャンネルアップキー３０１又はチャンネルダウンキー３０２が操作されたかを判断する（ステップＳ３）。一周判定処理部１１２が、チャンネルアップキー３０１又はチャンネルダウンキー３０２のいずれも操作されなかったと判断した場合は、ステップＳ９に進む。一周判定処理部１１２が、チャンネルアップキー３０１又はチャンネルダウンキー３０２が操作されたと判断した場合は、ステップＳ４に進む。
【００２７】
次に、一周判定処理部１１２が、前回のリモコン操作からの経過時間が、所定の基準時間ｎ（例えば、１秒）以内であるかを判断する（ステップＳ４）。基準時間ｎは、放送チャンネルの選択が一周したかを判断するための、前回のリモコン操作からの経過時間についての基準時間である。基準時間ｎは、経験又は実験によって予め決められる。一周判定処理部１１２が、前回のリモコン操作からの経過時間が基準時間ｎ以内でないと判断した場合は、ステップＳ１３に進む。一周判定処理部１１２が、前回のリモコン操作からの経過時間が基準時間ｎ以内であると判断した場合は、ステップＳ５に進む。
【００２８】
次に、一周判定処理部１１２が、リモコン操作キー情報が示す操作キーがエラーリカバリ基準キーと一致するかを判断する（ステップＳ５）。エラーリカバリ基準キーは、一周開始チャンネル３桁番号の更新処理を行うか否かを決める基準となる操作キーである。具体的には、エラーリカバリ基準キーは、チャンネルアップキー３０１又はチャンネルダウンキー３０２である。一周開始チャンネル３桁番号は、放送チャンネルの選択が一周したかを判断するための基準となる３桁番号である。一周判定処理部１１２が、リモコン操作キー情報が示す操作キーがエラーリカバリ基準キーと一致すると判断した場合、一周判定処理部１１２は、現在３桁番号で一周開始チャンネル３桁番号を更新して（ステップＳ１３）、ステップＳ９に進む。
【００２９】
一周判定処理部１１２が、リモコン操作キー情報が示す操作キーがエラーリカバリ基準キーと一致しないと判断した場合、一周判定処理部１１２は、リモコン操作キー情報が示す操作キーが前回の操作キーと一致するかを判断する（ステップＳ６）。一周判定処理部１１２が、リモコン操作キー情報が示す操作キーが前回の操作キーと一致すると判断した場合は、ステップＳ７に進む。
【００３０】
ステップＳ７において、一周判定処理部１１２が、選択指示３桁番号が一周開始チャンネル３桁番号と一致するかを判断する（ステップＳ７）。一周判定処理部１１２が、選択指示３桁番号が一周開始チャンネル３桁番号と一致しないと判断した場合は、ステップＳ９に進む。一周判定処理部１１２が、選択指示３桁番号が一周開始チャンネル３桁番号と一致すると判断した場合、一周判定処理部１１２は放送チャンネルの選択が一周したと判断する。そして、一周判定処理部１１２は、遷移候補決定処理部１１３に対して、放送ネットワークの遷移候補の決定を指示する（ステップＳ８）。続いて、一周判定処理部１１２が、エラーリカバリ基準キー情報にｎｕｌｌを代入する（ステップＳ９）。これにより、エラーリカバリ基準キーが設定されていない状態となる。そして、次回の処理のために、リモコン操作キー情報が示す操作キーを前回の操作キーとして保持し（ステップＳ１０）、処理を終了する。
【００３１】
上記ステップＳ６において、一周判定処理部１１２が、リモコン操作キー情報が示す操作キーが前回の操作キーと一致しないと判断した場合は、ステップＳ１１に進む。そして、一周判定処理部１１２が、前回の操作キーがチャンネルアップキー３０１又はチャンネルダウンキー３０２であるかを判断する（ステップＳ１１）。一周判定処理部１１２が、前回の操作キーがチャンネルアップキー３０１又はチャンネルダウンキー３０２でないと判断した場合は、ステップＳ１３に進む。一周判定処理部１１２が、前回の操作キーがチャンネルアップキー３０１又はチャンネルダウンキー３０２を示すと判断した場合は、リモコン操作キー情報が示す操作キーをエラーリカバリ基準キーとして保持し（ステップＳ１２）、処理を終了する。
【００３２】
上述した一周判定処理によれば、放送受信装置が、リモコン操作キー情報に基づいて、放送チャンネルの選択が一周したことを自動的に検知することができる。また、この一周判定処理によれば、エラーリカバリ基準キーに対応する操作キーが連続して操作されない限り、一周開始チャンネル３桁番号は更新されない。例えば、連続してチャンネルアップキー３０１が操作されている状態でチャンネルダウンキー３０２が操作された場合を想定する。この場合、放送受信装置は、エラーリカバリ基準キーとしてチャンネルダウンキー３０２を設定する（ステップＳ１２を参照）。そして、放送受信装置は、次の操作キーがチャンネルダウンキー３０２であると判断した場合（ステップＳ５でＹｅｓ）、一周チャンネル３桁番号を更新する（ステップＳ１３を参照）。一方、放送受信装置は、次の操作キーがチャンネルアップキー３０１であると判断した場合（ステップＳ５でＮｏ）には、一周チャンネル３桁番号を更新しない。従って、この一周判定処理によれば、ユーザによる操作キーの操作によって一度だけ前回選択した放送チャンネルが選択された場合であっても、一周開始チャンネル３桁番号は更新されないので、選択が一周したことを迅速に判断することができる。
【００３３】
図４は、第１の実施形態における遷移候補決定処理フローの例を示す図である。遷移候補決定処理部１１３が、一周判定処理部１１２から放送ネットワークの遷移候補の決定の指示を受けると、選局制御部１０２から現在ネットワークＩＤを取得する（ステップＳ２１）。遷移候補決定処理部１１３は、取得した現在ネットワークＩＤに基づいて、現在選択中の放送ネットワークを判断する（ステップＳ２２）。遷移候補決定処理部１１３は、上記ステップＳ２２における現在選択中の放送ネットワークの判断結果に応じて、遷移候補テーブルを作成し、ステップＳ２６に進む。例えば、現在選択中の放送ネットワークが地上デジタル放送である場合は、遷移候補決定処理部１１３は、左キー３０４、右キー３０３に、それぞれ、ＣＳ放送、ＢＳ放送へのネットワーク切換機能を割り当てた遷移候補テーブルを作成する（ステップＳ２３）。この遷移候補テーブルにおいて、現在選択中の放送ネットワークである地上デジタル放送（地Ｄ）には中央キー３０５が対応付けられる。図中の符号４０１は、ステップＳ２３において作成される遷移候補テーブルに基づいて描画・表示される放送ネットワーク切換誘導画面である。
【００３４】
また、例えば、現在選択中の放送ネットワークがＢＳ放送である場合、遷移候補決定処理部１１３は、左キー３０４、右キー３０３に、それぞれ、地上デジタル放送、ＣＳ放送へのネットワーク切換機能を割り当てた遷移候補テーブルを作成する（ステップＳ２４）。この遷移候補テーブルにおいて、ＢＳ放送には中央キー３０５が対応づけられる。図中の符号４０２は、ステップＳ２４において作成される遷移候補テーブルに基づいて描画・表示される放送ネットワーク切換誘導画面である。
【００３５】
また、例えば、現在選択中の放送ネットワークがＣＳ放送である場合、遷移候補決定処理部１１３は、左キー３０４、右キー３０３に、それぞれ、ＢＳ放送、地上デジタル放送へのネットワーク切換機能を割り当てた遷移候補テーブルを作成する（ステップＳ２５）。この遷移候補テーブルにおいて、ＣＳ放送には中央キー３０５が対応づけられる。図中の符号４０３は、ステップＳ２５において作成される遷移候補テーブルに基づいて描画・表示される放送ネットワーク切換誘導画面である。ステップＳ２６において、遷移候補決定処理部１１３が、作成した遷移候補テーブルを放送ネットワーク切換誘導アプリ実行部１１４に渡して（ステップＳ２６）、処理を終了する。
【００３６】
図５は、放送ネットワーク切換誘導アプリ実行部の内部動作を説明するフローチャートである。放送ネットワーク切換誘導アプリ実行部１１４が、放送ネットワーク切換誘導画面が描画中であるかを判断する（ステップＳ３１）。放送ネットワーク切換誘導画面が描画中でない場合は、ステップＳ３３に進む。放送ネットワーク切換誘導画面が描画中である場合、放送ネットワーク切換誘導アプリ実行部１１４は、描画処理部１０９に指示して、放送ネットワーク切換誘導画面を消去させる（ステップＳ３２）。
【００３７】
次に、放送ネットワーク切換誘導アプリ実行部１１４が、描画処理部１０９に対して、放送ネットワーク切換誘導画面の描画を指示する（ステップＳ３３）。これにより、例えば、図中の符号４０４に示す放送ネットワーク切換誘導画面が画面表示される。放送ネットワーク切換誘導画面４０４上には、例えば現在選択中の放送ネットワークである地上デジタル放送が中央に表示される。また、放送ネットワーク切換誘導画面４０４内の太線部分に示すように、選択される放送ネットワークを示すカーソルは、現在選択中の放送ネットワークである地上デジタル放送に対応する位置（中央の位置）に配置されている。
【００３８】
次に、放送ネットワーク切換誘導アプリ実行部１１４が、画面タイムアウト時間のタイムアウト値を２秒に設定し、画面タイムアウト時間の計測を開始する（ステップＳ３４）。続いて、放送ネットワーク切換誘導アプリ実行部１１４が、リモコン操作キー情報を受信したかを判断する（ステップＳ３５）。放送ネットワーク切換誘導アプリ実行部１１４が、リモコン操作キー情報を受信していないと判断した場合は、ステップＳ４０に進む。放送ネットワーク切換誘導アプリ実行部１１４が、リモコン操作キー情報を受信したと判断した場合は、放送ネットワーク切換誘導アプリ実行部１１４が、画面タイムアウト時間のタイムアウト値を再度２秒に設定し（ステップＳ３６）、ステップＳ３７に進む。
【００３９】
次に、放送ネットワーク切換誘導アプリ実行部１１４が、リモコン操作キー情報が左キー３０４又は右キー３０３が操作されたことを示すかを判断する（ステップＳ３７）。リモコン操作キー情報が左キー３０４又は右キー３０３が操作されたことを示さない場合は、ステップＳ４０に進む。リモコン操作キー情報が左キー３０４又は右キー３０３が操作されたことを示す場合は、放送ネットワーク切換誘導アプリ実行部１１４が、選局制御部１０２に対して、放送ネットワークの切換指示を行う（ステップＳ３８）。続いて、放送ネットワーク切換誘導アプリ実行部１１４が、描画処理部１０９へ放送ネットワーク切換誘導画面のカーソル位置移動描画指示を出す（ステップＳ３９）。例えば、リモコン操作キー情報が、左キー３０４が操作されたことを示す場合、放送ネットワーク切換誘導画面４０５に示すように、カーソルが左の位置（ＢＳ放送に対応する位置）に移動する。
【００４０】
次に、放送ネットワーク切換誘導アプリ実行部１１４が、画面タイムアウト時間が経過したかを判断する（ステップＳ４０）。放送ネットワーク切換誘導アプリ実行部１１４が、画面タイムアウト時間が経過していないと判断した場合は、ステップＳ３５に進む。放送ネットワーク切換誘導アプリ実行部１１４が、画面タイムアウト時間が経過したと判断した場合は、ステップＳ４１に進む。そして、放送ネットワーク切換誘導アプリ実行部１１４が、描画処理部１０９に対して放送ネットワーク切換誘導画面消去指示を出して（ステップＳ４１）、処理を終了する。
【００４１】
以上説明したように、第１の実施形態の放送受信装置は、リモコン操作キー情報に基づいて選択が一周したことを検知し、選択が一周したことを放送ネットワーク切換誘導画面を表示することを通じて通知する。従って、この放送受信装置によれば、同一ネットワーク内のチャンネルの選択が一周したことを確実にユーザに通知することができる。なお、本実施形態の放送受信装置が、例えば、同一ネットワーク内のチャンネルの選択が一周したことを通知するユーザインタフェース等を生成し、表示映像に重畳して表示するようにしてもよい。また、放送受信装置が、振動機構が設けられたリモコンに対して制御信号を送信してこのリモコンを振動させることで、同一ネットワーク内のチャンネルの選択が一周したことを通知するようにしてもよい。
【００４２】
図６は、本発明の第２の実施形態の放送受信装置の構成を示す図である。図６に示す放送受信装置は、リモコン信号受信部１０１乃至一周判定処理部１１２、放送ネットワーク切換誘導アプリ実行部１１４に加えて、ジャイロリモコン信号受信部２０１、入力イベント処理部２０２、巡回型遷移候補決定処理部２０３を備える。この放送受信装置が備える処理部のうち、図１に示す第１の実施形態の放送受信装置が備える処理部と同一の符号が付けられたものは、第１の実施形態の放送受信装置が備える処理部と同様である。なお、本発明の第２の実施形態の放送受信装置の制御方法は、図６に示す放送受信装置が備える各処理部の機能によって実現される。また、第２の実施形態においては、リモコン１００が、操作キーの操作に応じたリモコン操作キー情報を入力する機能に加えて、リモコンの角度と角速度を検知するジャイロリモコンの機能とポインタ機能とを備えるものとする。すなわち、リモコン１００は、ジャイロリモコンとして機能して、リモコン１００のリモコンの移動操作に応じたジャイロリモコン信号を放送受信装置に入力することができる。具体的には、ユーザが、リモコン１００に備えられた所定のボタンを押下げしたままリモコンを移動させて、ポインタの位置を変更すると、リモコン１００がこの操作に応じたジャイロリモコン信号を放送受信装置に入力するものとする。入力されるジャイロリモコン信号は、チャンネル選択操作情報又は放送ネットワーク選択操作情報に対応する信号である。例えば、ジャイロリモコン信号は、同一の放送ネットワーク内の放送チャンネルを順次選択指示する順次選局操作を示す。
【００４３】
図６に示す放送受信装置が備えるジャイロリモコン信号受信部２０１は、リモコン１００から入力されるジャイロリモコン信号を受信し、入力イベント処理部２０２へ渡す。入力イベント処理部２０２は、ジャイロリモコン信号受信部２０１から渡されたジャイロリモコン信号を解析し、リモコン１００のボタンの押下状態、ポインタ座標情報に基づいて、ジャイロリモコン信号をリモコン操作キー情報に変換する。ジャイロリモコン信号受信部２０１は、リモコン操作キー情報を選局制御部１０２と放送ネットワーク切換誘導アプリ実行部１１４に送信する。また、ジャイロリモコン信号受信部２０１は、描画処理部１０９にポインタの描画を指示する（ポインタ描画指示を出す）。
【００４４】
以下では、リモコン１００に配置されているチャンネルアップ／ダウンキー又は左右キーの操作によってリモコン１００が入力したリモコン操作キー情報に基づいて処理が進められる形態について説明するが、本実施形態はこの形態に限られない。例えば、ジャイロセンサーが搭載されジャイロリモコンとして機能するリモコン１００が左右に傾いたり、上下左右に移動したりしたことを、ジャイロリモコン信号受信部２０１が検知するようにしてもよい。そして、検知された信号を入力イベント処理部２０２が変換することによって得られるリモコン操作キー情報を用いて処理が進められるようにしてもよい。
【００４５】
本実施形態では、選局制御部１０２が、一周判定処理部１１２に対して、リモコン操作キー情報、現在３桁番号、選択指示３桁番号に加えて、現在選択中の放送ネットワーク内のチャンネル数を渡す。また、選局制御部１０２が、巡回型遷移候補決定処理部２０３に対して現在ネットワークＩＤを渡す。選局制御部１０２が、巡回型遷移候補決定処理部２０３に対して現在ネットワークＩＤに加えて、他ネットワークの番組の有無を示す情報を渡すようにしてもよい。他ネットワークの番組の有無を示す情報は、現在選択中の放送ネットワークとは異なる他の放送ネットワーク内に番組が存在するか否かを示す情報である。この情報を渡すのは、時間帯によって番組が存在しない放送ネットワークがある場合に、巡回型遷移候補決定処理部２０３がこの放送ネットワークを現在選択中の放送ネットワークからの遷移候補から除外できるようにするためである。
【００４６】
描画処理部１０９は、放送ネットワーク切換アプリ実行部１１４から受ける描画指示に従った描画処理を行う。また、入力イベント処理部２０２から受けるポインタ描画指示に従った描画処理を行う。映像合成表示部１１０は、描画処理部１０９による描画処理結果を合成して放送ネットワーク切換誘導画面を生成し、画面表示する。
【００４７】
一周判定処理部１１２は、選局制御部１０２から受け取った、現在選択中のネットワーク内のチャンネル数、リモコン操作キー情報、現在３桁番号、選択指示３桁番号に基づいて、一周判定処理を実行する。一周判定処理部１１２は、選択が一周したと判断した場合、巡回型遷移候補決定処理部２０３に対して、放送ネットワークの遷移候補の決定を指示する。
【００４８】
巡回型遷移候補決定処理部２０３は、一周判定処理部１１２から放送ネットワークの遷移候補の決定を指示されると、以下の処理を行う。巡回型遷移候補決定処理部２０３は、選局制御部１０２から現在ネットワークＩＤを受け取り、この現在ネットワークＩＤに基づいて、現在選択されている放送ネットワークを認識する。そして、遷移候補決定処理部１１３は、遷移候補テーブルを作成する。遷移候補テーブルには、現在選択されている放送ネットワークと、該放送ネットワークからの切り換え候補となる他の放送ネットワークと、各々の放送ネットワークへのネットワーク切換機能が割り当てられたリモコンの操作キーとの対応情報が設定される。巡回型遷移候補決定処理部２０３は、選択可能な放送ネットワークの数が放送ネットワーク切換誘導画面上に表示可能な放送ネットワークの数より多い場合に、以下の処理を行う。巡回型遷移候補決定処理部２０３は、同一の放送ネットワーク内における選択が一周して一周判定処理部１１２から放送ネットワークの遷移候補の決定指示を受ける度に、遷移候補テーブルへの設定内容を変更する。具体的には、巡回型遷移候補決定処理部２０３は、同一の放送ネットワーク内において選択が一周する度に、現在選択されている放送ネットワークに対応づけて遷移候補テーブルに設定される、切り換え候補となる他の放送ネットワークの組合せを変更する。巡回型遷移候補決定処理部２０３は、作成した遷移候補テーブルを放送ネットワーク切換誘導アプリ実行部１１４に渡す。
【００４９】
なお、巡回型遷移候補決定処理部２０３が、一周判定処理部１１２から放送ネットワークの遷移候補の決定を指示された場合に、選局制御部１０２から現在ネットワークＩＤとともに、他ネットワークの番組の有無を示す情報を受け取るようにしてもよい。そして、巡回型遷移候補決定処理部２０３が、他ネットワークの番組の有無を示す情報に基づいて、番組が存在しない放送ネットワークを認識し、認識した放送ネットワークを遷移候補テーブルへの設定対象から除外するようにしてもよい。
【００５０】
放送ネットワーク切換誘導アプリ実行部１１４は、遷移候補決定処理部１１３から渡された遷移候補テーブルに基づいて、描画処理部１０９に対して、遷移候補テーブルに対応する放送ネットワーク切換誘導画面の描画を指示する。この遷移候補テーブルは、巡回型遷移候補決定処理部２０３によって、同一の放送ネットワーク内における選択が一周する度に設定内容が変更される。従って、描画処理部１０９による描画処理結果に応じて画面表示される放送ネットワーク切換誘導画面上で、画面上に表示される切り換え候補となる放送ネットワークを示す情報が同一の放送ネットワーク内における放送チャンネルの選択が一周する度に変更される。放送ネットワーク切換誘導アプリ実行部１１４が、遷移候補テーブルの設定内容が変更される度に以下の処理を行ってもよい。放送ネットワーク切換誘導アプリ実行部１１４が、描画処理部１０９に対して、表示されている放送ネットワーク切換誘導画面を一旦消去した上で、設定内容が変更後の遷移候補テーブルに対応する新たな放送ネットワーク切換誘導画面の描画を指示する。
【００５１】
すなわち、第２の実施形態においては、巡回型遷移候補決定処理部２０３、放送ネットワーク切換誘導アプリ実行部１１４、描画処理部１０９、映像合成表示部１１０が、選択が一周したと判断された場合に、選択が一周したことを通知する通知手段として機能する。この通知手段は、選択可能な放送ネットワークの数が放送ネットワーク切換誘導画面上に表示可能な放送ネットワークの数より多い場合に、以下の処理を実行する。この通知手段は、同一の放送ネットワーク内の全ての放送チャンネルが選択された後に既に選択された放送チャンネルが選択される度に、放送ネットワーク切換誘導画面上に表示する切り換え候補となる他の放送ネットワークを示す情報を変更する。
【００５２】
また、放送ネットワーク切換誘導アプリ実行部１１４は、リモコン信号受信部１０１又は入力イベント処理部２０２からリモコン操作キー情報を受信する。そして、このリモコン操作キー情報に放送ネットワーク選択操作情報が含まれる場合に、この放送ネットワーク選択操作情報に基づいて、左右キーによる放送ネットワークの切換操作があったかを判断する。放送ネットワーク切換誘導アプリ実行部１１４は、左右キーによる放送ネットワークの切換操作があったと判断した場合に、選択指示放送ネットワークを決定する。そして、放送ネットワーク切換誘導アプリ実行部１１４は、選局制御部１０２に対して、現在選択中の放送ネットワークを選択指示放送ネットワークに切り換えるように指示する。
【００５３】
第２の実施形態の放送受信装置の全体動作処理について説明する。選局制御部１０２が、リモコン操作キー情報を受け取り、一周判定処理部１１２へ一周判定処理の開始を指示する。一周判定処理部１１２は、一周判定処理を実行し、選択が一周したと判断する度に、巡回型遷移候補決定処理部２０３へ遷移候補テーブルの作成を指示する。また、一周判定処理部１１２は、一周判定処理の終了を選局制御部１０２へ通知する。続いて、巡回型遷移候補決定処理部２０３が、一周判定処理部１１２からの指示に応じて遷移候補テーブルを作成する。巡回型遷移候補決定処理部２０３は、一周判定処理部１１２から遷移候補テーブルの作成の指示を受ける度に、遷移候補テーブルの設定内容を変更する。巡回型遷移候補決定処理部２０３は、作成した遷移候補テーブルを放送ネットワーク切換誘導アプリ実行部１１４に渡す。そして、放送ネットワーク切換誘導アプリ実行部１１４は、描画処理部１０９に対して、遷移候補テーブルに対応する放送ネットワーク切換誘導画面の描画を指示する。
【００５４】
図７は、第２の実施形態における一周判定処理フローを示す図である。図７のステップＳ５２乃至Ｓ６４は、図２のステップＳ１乃至Ｓ１３と同様である。第２の実施形態においては、一周判定処理部１１２が、選局制御部１０２から現在選択中の放送ネットワーク内のチャンネル数を受け取る。そして、一周判定処理部１１２が、受け取った現在選択中の放送ネットワーク内のチャンネル数が、一周通知最小チャンネル数以上であるかを判断する（ステップＳ５１）。一周通知最小チャンネル数は、一周判定処理を実行するか否かを決める基準となる放送チャンネル数である。一周通知最小チャンネル数は、例えば、経験によって予め決められる。具体的には、一周通知最小チャンネル数は、選択が一周したことを通知しなくてもユーザが十分効率的にチャンネル検索できる放送チャンネル数に設定される。現在選択中のネットワーク内のチャンネル数が、一周通知最小チャンネル数以上である場合は、ステップＳ５２に進む。現在選択中のネットワーク内のチャンネル数が、一周通知最小チャンネル数以上である場合は、処理を終了する。
【００５５】
図８は、第２の実施形態における遷移候補決定処理フローの例を示す図である。この例では、選択可能な放送ネットワークの数が４個であり、放送ネットワーク切換誘導画面上に表示可能な放送ネットワークの数が３個であるものとする。また、選択可能な放送ネットワークは、地上アナログ放送、地上デジタル放送、ＢＳ放送、ＣＳ放送であるものとする。
【００５６】
巡回型遷移候補決定処理部２０３が、一周判定処理部１１２から放送ネットワークの遷移候補の決定の指示を受けると、選局制御部１０２から現在ネットワークＩＤを取得する（ステップＳ７１）。巡回型遷移候補決定処理部２０３は、取得した現在ネットワークＩＤに基づいて、現在選択中の放送ネットワークを判断し（ステップＳ７２）、現在選択中の放送ネットワークを認識する。次に、巡回型遷移候補決定処理部２０３が、現在選択中の放送ネットワーク以外の放送ネットワークに対して表示優先度を割り当て、ステップＳ７７に進む。表示優先度は、放送ネットワーク切換誘導画面上への放送ネットワークの表示に関する優先度である。
【００５７】
現在選択中の放送ネットワークが地上アナログ放送（地Ａ）である場合、巡回型遷移候補決定処理部２０３は、ＣＳ放送に表示優先度１を割り当て、地上デジタル放送に表示優先度２を割り当て、ＢＳ放送に表示優先度３を割り当てる（ステップＳ７３）。現在選択中の放送ネットワークが地上デジタル放送である場合、巡回型遷移候補決定処理部２０３は、地上アナログ放送に表示優先度１を割り当て、ＢＳ放送に表示優先度２を割り当て、ＣＳ放送に表示優先度３を割り当てる（ステップＳ７４）。
【００５８】
現在選択中の放送ネットワークがＢＳ放送である場合、巡回型遷移候補決定処理部２０３は、地上デジタル放送に表示優先度１を割り当て、ＣＳ放送に表示優先度２を割り当て、地上アナログ放送に表示優先度３を割り当てる（ステップＳ７５）。現在選択中の放送ネットワークがＣＳ放送である場合、巡回型遷移候補決定処理部２０３は、ＢＳ放送に表示優先度１を割り当て、地上アナログ放送に表示優先度２を割り当て、地上デジタル放送に表示優先度３を割り当てる（ステップＳ７６）。
【００５９】
ステップＳ７３乃至ステップＳ７６での放送ネットワークの表示優先度の割り当ては、上記に限らない。例えば、地上アナログ放送で放送している番組と、地上デジタル放送で放送している番組とが類似している場合には、ステップＳ７４にて、ＢＳ放送に表示優先度１、ＣＳ放送に表示優先度２、地上アナログ放送に表示優先度３を割り当ててもよい。また、ステップＳ７６にて、放送される映像の解像度を基準に表示優先度の決定を行い、地上デジタル放送、ＢＳ放送、ＣＳ放送に比べ低解像度の映像を放送する地上アナログ放送を、表示優先度３に割り当ててもよい。
【００６０】
次に、巡回型遷移候補決定処理部２０３が、同一ネットワークでの連続一周通知回数を選択可能な放送ネットワーク数−１で割った余りを判定する（ステップＳ７７）。同一ネットワークでの連続一周通知回数は、同一の放送ネットワークについて巡回型遷移候補決定処理部２０３が一周判定処理部１１２から遷移候補の決定の指示を受けた連続回数、すなわち、同一の放送ネットワークについて選択が一周した連続回数である。この例では、選択可能な放送ネットワークの数が４個であるので、巡回型遷移候補決定処理部２０３は、同一ネットワークでの連続一周通知回数を３で割った余りを判定する。なお、放送ネットワークの切換操作がされると、巡回型遷移候補決定処理部２０３は、同一ネットワークでの連続一周通知回数に０を設定する。
【００６１】
次に、巡回型遷移候補決定処理部２０３が、同一ネットワークでの連続一周通知回数を３で割った余りの値に応じた遷移候補テーブルを作成し、ステップＳ８１に進む。なお、いずれの遷移候補テーブルにおいても、現在選択中の放送ネットワークには中央キー３０５が対応付けられるものとする。例えば、上記余りの値が１である場合、巡回型遷移候補決定処理部２０３は、左キー３０４、右キー３０３に、それぞれ、表示優先度１、表示優先度２の放送ネットワークへのネットワーク切換機能を割り当てた遷移候補テーブルを作成する（ステップＳ７８）。また、例えば、上記余りの値が２である場合、巡回型遷移候補決定処理部２０３は、左キー３０４、右キー３０３に、それぞれ、表示優先度２、表示優先度３の放送ネットワークへのネットワーク切換機能を割り当てた遷移候補テーブルを作成する（ステップＳ７９）。また、例えば、上記余りの値が０である場合、巡回型遷移候補決定処理部２０３は、左キー３０４、右キー３０３に、それぞれ、表示優先度３、表示優先度４の放送ネットワークへのネットワーク切換機能を割り当てた遷移候補テーブルを作成する（ステップＳ８０）。なお、巡回型遷移候補決定処理部２０３が、ジャイロリモコン機能を有するリモコン１００の左方向への移動、右方向への移動のそれぞれに対して、対応する表示優先度を有する放送ネットワークへのネットワーク切り換え機能を割り当てるようにしてもよい。ステップＳ８１において、巡回型遷移候補決定処理部２０３が、作成した遷移候補テーブルを放送ネットワーク切換誘導アプリ実行部１１４に渡して（ステップＳ８１）、処理を終了する。
【００６２】
図９は、遷移候補テーブルと、放送ネットワーク切換誘導画面の例を示す図である。図９（Ａ）は、図８に示す遷移候補決定処理フローに従って作成される遷移候補テーブルの例を示す。この例では、図８のステップＳ７２において現在選択中の放送ネットワークが地上デジタル放送であると判断された場合に作成される遷移候補テーブルを示す。図９（Ａ）中に示す優先度番号は、表示優先度を示す。地上アナログ放送、ＢＳ放送、ＣＳ放送に、それぞれ、表示優先度１、表示優先度２、表示優先度３が割り当てられている。一周通知１回目のテーブルは、同一ネットワークでの連続一周通知回数が１回である場合、すなわち、最初に選択が１周した場合に巡回型遷移候補決定処理部２０３が作成する遷移候補テーブルである。一周通知２回目のテーブルは、同一ネットワークでの連続一周通知回数が２回である場合に巡回型遷移候補決定処理部２０３が作成する遷移候補テーブルである。一周通知２回目のテーブルは、同一ネットワークでの連続一周通知回数が３回である場合に巡回型遷移候補決定処理部２０３が作成する遷移候補テーブルである。一周通知４回目のテーブルは、同一ネットワークでの連続一周通知回数が４回である場合に巡回型遷移候補決定処理部２０３が作成する遷移候補テーブルである。
【００６３】
同一ネットワークでの連続一周通知回数が１回である場合には、この回数を３で割った余りが１となる。従って、この場合には、左キー３０４、右キー３０３に、それぞれ、表示優先度１の地上アナログ放送へのネットワーク切換機能、表示優先度２のＢＳ放送へのネットワーク切換機能を割り当てた遷移候補テーブルが作成される。図９（Ｂ）は、この遷移候補テーブルに従って描画・表示される放送ネットワーク切換誘導画面の例を示す。
【００６４】
同一ネットワークでの連続一周通知回数が２回である場合には、この回数を３で割った余りが２となる。従って、この場合には、左キー３０４、右キー３０３に、それぞれ、表示優先度２のＢＳ放送へのネットワーク切換機能、表示優先度３のＣＳ放送へのネットワーク切換機能を割り当てた遷移候補テーブルが作成される。図９（Ｃ）は、この遷移候補テーブルに従って描画・表示される放送ネットワーク切換誘導画面の例を示す。
【００６５】
同一ネットワークでの連続一周通知回数が３回である場合には、この回数を３で割った余りが０となる。従って、この場合には、左キー３０４、右キー３０３に、それぞれ、表示優先度１の地上アナログ放送へのネットワーク切換機能、表示優先度３のＣＳ放送へのネットワーク切換機能を割り当てた遷移候補テーブルが作成される。図９（Ｄ）は、この遷移候補テーブルに従って描画・表示される放送ネットワーク切換誘導画面の例を示す。同一ネットワークでの連続一周通知回数が４回である場合には、この回数を３で割った余りが１となる。従って、この場合には、同一ネットワークでの連続一周通知回数が１である場合に作成される遷移候補テーブルと同じ遷移候補テーブルが作成される。図９（Ｅ）は、この遷移候補テーブルに従って描画・表示される放送ネットワーク切換誘導画面の例を示す。
【００６６】
上述した第２の実施形態の放送受信装置は、選択可能な放送ネットワークの数が放送ネットワーク切換誘導画面上表示可能な放送ネットワークの数より多い場合に、以下の処理を実行する。この放送受信装置は、同一放送ネットワーク内で放送チャンネルの選択が一周する度に、放送ネットワーク切換誘導画面上に表示する切り換え候補となる他の放送ネットワークを示す情報を変更する。従って、この放送受信装置によれば、同一放送ネットワーク内で全ての放送チャンネルが選択されることが連続して発生していることをユーザに通知することができる。また、選択可能な放送ネットワークの数が放送ネットワーク切換誘導画面上表示可能な放送ネットワークの数より多い場合であっても、ユーザが切り換え先の放送ネットワークを効率良く探すことができる。
【００６７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００６８】
１０１  リモコン信号受信部
１０２  選局制御部
１０３  チューナ部
１１２  一周判定処理部
１１３  遷移候補決定処理部
１１４  放送ネットワーク切換誘導アプリ実行部
【図１】
2011216925.tif 000003
【図２】
2011216925.tif 000004
【図３】
2011216925.tif 000005
【図４】
2011216925.tif 000006
【図５】
2011216925.tif 000007
【図６】
2011216925.tif 000008
【図７】
2011216925.tif 000009
【図８】
2011216925.tif 000010
【図９】
2011216925.tif 000011